【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】  組織の一部を切断し閉鎖するための固定及び切断装置であって：
第１あごと；
該第１あごに対応してこれに平行に且つ対面して設置された第２あごと；
該第１あごに接続された垂直ドライバー手段であって、該第１及び第２あごに対応する平行軸に垂直な軸に沿って該第１あごを直線状に移動させ、該垂直ドライバー手段が該あご同士を開くように付勢されている場合には該第１あごを該第２あごから離し、該垂直ドライバー手段が該あご同士を閉じるように付勢されている場合には該第１あごを該第２あごに接近させるようにする垂直ドライバー手段と；
該第２あご内に設置され、水平ドライバー手段に連結された切断及びステープル綴じ手段であって、該第１あごが該第２あごの上に閉じた場合には、該第１あごと該第２あごの間に挟まれた組織の一部を切断しステープルによって綴じるための切断及びステープル綴じ手段と；を具えている固定及び切断装置において、
該垂直ドライバー手段が、一対のねじ山付き回転シャフトと、該一対のねじ山付き回転シャフトに歯車を介して連携して回転するように設置された歯車付き水平シャフトとを具え、該歯車付き水平シャフトが回転すると第１あごが移動するように構成されている；固定及び切断装置。
【請求項２】  前記垂直ドライバー手段が少なくとも一つのねじ山付き回転シャフトを具え、前記第１あごは、ねじ山付き回転シャフトを受け入れるための、対応する少なくとも一つのねじ山付き孔を具え、これによってねじ山付き回転シャフトが回転すると、ねじ山付き回転シャフトの回転方向に応じて、第１あごが、回転シャフトに沿って軸方向に移動して、第２あごから離れたりこれに接近したりする、請求項１に記載の固定及び切断装置。
【請求項３】  該切断及びステープル綴じ手段が、刃と、該第２あごに形成されたくさびガイド用チャンネルに嵌まったくさびとを具えている、請求項１に記載の固定及び切断装置。
【請求項４】  該垂直ドライバー手段が、該第１あごの移動に作用するべく形成された第１水平回転シャフトを含んでいて、該第１水平回転シャフトは、該第１あご及び第２あごに対応する平行軸に平行に配置されている、請求項１に記載の固定及び切断装置。
【請求項５】  該第１水平回転シャフトは、該あご同士を開くように第１方向に回転し、かつ該あご同士を閉じるように該第１方向と反対方向である第２方向に回転する、請求項４に記載の固定及び切断装置。
【請求項６】  該第１水平回転シャフトの基端部が、電気−機械式ドライバーの第１ドライバーシャフトと連結するべく形成されていて、該電気−機械式ドライバーは該第１水平回転シャフトを回転するべく形成されている、請求項５に記載の固定及び切断装置。
【請求項７】  該水平ドライバー手段が、該第１あご及び第２あごに対応する平行軸に平行に配置された長手軸周囲を回転可能な第２水平回転シャフトを含んでいる、請求項５に記載の固定及び切断装置。
【請求項８】  該垂直ドライバー手段を駆動するようになっている第１回転ドライブシャフトと、該水平ドライバー手段を駆動するようになっている第２回転ドライブシャフトとを含んでいる電気−機械式ドライバーをさらに備えている、請求項５に記載の固定及び切断装置。
【請求項９】  該電気−機械式ドライバーが、該第一及び第二回転ドライブシャフト各々を駆動するようになっている少なくとも一つのモータ装置を含んでいる、請求項８に記載の固定及び切断装置。
【請求項１０】  該電気−機械式ドライバーが、該第１回転ドライブシャフトを回転するようになっている第１モータ装置と、該第２回転ドライブシャフトを回転するようになっている第２モータ装置とを含んでいる、請求項８に記載の固定及び切断装置。
【請求項１１】  該垂直ドライバー手段と、該水平ドライバー手段との各々を駆動するようになっている電気−機械式ドライバーをさらに具備している、請求項１に記載の固定及び切断装置。
【請求項１２】  該電気−機械式ドライバーが、該垂直ドライバー手段と、該水平ドライバー手段との各々を独立的に駆動するようになっている、請求項１１に記載の固定及び切断装置。
【請求項１３】  電気−機械式ドライバーと共に使用される組織の一部を切断し閉鎖するための固定及び切断装置であって：
第１あごと；
該第１あごに対応してこれに平行に且つ対面して設置された第２あごと；
該電気−機械式ドライバー装置に作動可能に連結され、該第１あごに接続された垂直ドライバー手段であって、該垂直ドライバー手段が第１水平回転シャフトを含んでいて、該第１水平回転シャフトは、少なくとも一つのねじ山付き回転シャフトを駆動し、かつ該第１及び第２あごに対応する平行軸垂直な軸に沿って該第１あごを直線状に移動させていて、さらに該第１水平回転シャフトは、該第１及び第２あごに対応する平行軸に平行に配置された長手軸周囲を回転可能であり、該第１水平回転シャフトが該あご同士を開くように第１方向に回転される場合、該第１あごを該第２あごから離し、該第１水平回転シャフトが該あご同士を閉じるように該第１方向と反対方向の第２方向に回転される場合には該第１あごを該第２あごに接近させるようにする、垂直ドライバー手段と；
を備えている固定及び切断装置。
【請求項１４】  該第１あごは、ねじ山付き回転シャフトを受け入れるための対応している少なくとも一つのねじ山付きの孔を具え、これによって該ねじ山付き回転シャフトが回転すると、該ねじ山付き回転シャフトの回転方向に応じて、該第１あごが、該ねじ山付き回転シャフトに沿って軸方向に移動して、該第２あごから離れたりこれに接近したりする、請求項１３に記載の固定及び切断装置。
【請求項１５】  少なくとも一つの該ねじ山付き回転シャフトが、一対のねじ山付き回転シャフトと、該一対のねじ山付き回転シャフトに歯車を介して連携して回転するように設置された第１水平回転シャフトとを具え、該第１水平回転シャフトが回転すると該第１あごが移動するように構成されている、請求項１３に記載の固定及び切断装置。
【請求項１６】  更に、該第２あごに設けられた切断及びステープル綴じ手段を具え、該切断及びステープル綴じ手段は該電気−機械式ドライバー装置に作動可能に連結されている請求項１３に記載の固定及び切断装置。
【請求項１７】  第２水平回転シャフトをさらに備えていて；該第２水平回転シャフトは、該第１及び該第２あごに対応する平行軸に平行に配置された長手軸周囲を回転し、さらに該第２水平回転シャフトは、該切断及びステープル綴じ手段を駆動するべく形成されていて、該切断及びステープル綴じ手段は該第２水平回転シャフトを介して該電気−機械式ドライバーと作動可能に連結されている、請求項１６に記載の固定及び切断手段。
【請求項１８】  少なくとも一つのねじ山付き回転シャフトが、該電気−機械式ドライバーの第１回転ドライブシャフトと連結されるようになっている、請求項１３に記載の固定及び切断手段。
【請求項１９】  組織の一部を切断し閉鎖するための固定及び切断装置であって：
第１あごと；
該第１あごに対応してこれに平行に且つ対面して設置された第２あごと；
該第１あごに接続された第１ドライバーであって、該第１ドライバーが第１水平回転シャフトを含んでいて、該第１水平回転シャフトは、少なくとも一つのねじ山付き回転シャフトを駆動し、かつ該第１及び第２あごに対応する平行軸垂直な軸に沿って該第１あごを直線状に移動させていて、さらに該第１水平回転シャフトは、該第１及び第２あごに対応する平行軸に平行に配置された長手軸周囲を回転可能であり、該第１水平回転シャフトが該あご同士を開くように第１方向に回転される場合、該第１あごを該第２あごから離し、該第１水平回転シャフトが該あご同士を閉じるように該第１方向と反対方向の第２方向に回転される場合には該第１あごを該第２あごに接近させるようにする第１ドライバーと；
該第１あごと該第２あごとの一方に設置され、かつ第２ドライバーに連結された切断及びステープル綴じ装置であって、該切断及びステープル綴じ装置は、該第１あごが該第２あごの上に閉じた場合に、該第１あごと該第２あごとの間に挟まれた組織の一部を切断しステープルによって綴じるようになっている切断及びステープル綴じ装置と；
を具備する固定及び切断装置。
【請求項２０】  該少なくとも一つのねじ山付き回転シャフトが回転すると、該ねじ山付き回転シャフトの回転方向に応じて、該第１あごが、該ねじ山付き回転シャフトに沿って軸方向に移動して、該第２あごから離れたりこれに接近したりする、請求項１９に記載の固定及び切断装置。
【請求項２１】  該第１あごが、該少なくとも一つのねじ山付き回転シャフトを受け入れるようになっている対応する少なくとも一つのねじ山付き孔を含んでいる、請求項２０に記載の固定及び切断装置。
【請求項２２】  少なくとも一つの該ねじ山付き回転シャフトが、一対のねじ山付き回転シャフトと、該一対のねじ山付き回転シャフトに歯車を介して連携して回転するように設置された第１水平回転シャフトとを具え、該第１水平回転シャフトが回転すると該第１あごが移動するように構成されている、請求項１９に記載の固定及び切断装置。
【請求項２３】  該切断及びステープル綴じ装置が、刃と、該第２あごに形成されたくさびガイド用チャンネルに嵌まったくさびを具えている、請求項１９に記載の固定及び切断装置。
【請求項２４】  該第１ドライバーと、該第２ドライバーとの各々を駆動するようになっている電気−機械式ドライバーをさらに具備している、請求項１９に記載の固定及び切断装置。
【請求項２５】  該電気−機械式ドライバーが、該第１ドライバーと、該第２ドライバーとの各々を独立的に駆動するようになっている、請求項２４に記載の固定及び切断装置。
【請求項２６】  電気−機械式ドライバーが、該第１ドライバーを駆動するようになっている第１回転ドライブシャフトと、該第２ドライバーを駆動するようになっている第２回転ドライブシャフトを含んでいる、請求項２４に記載の固定及び切断装置。
【請求項２７】  該電気−機械式ドライバーが、該第一及び第二回転ドライブシャフト各々を駆動するようになっている少なくとも一つのモータ装置を含んでいる、請求項２６に記載の固定及び切断装置。
【請求項２８】  該電気−機械式ドライバーが、該第１回転ドライブシャフトを回転するようになっている第１モータ装置と、該第２回転ドライブシャフトを回転するようになっている第２モータ装置とを含んでいる、請求項２６に記載の固定及び切断装置。
【請求項２９】  該第２ドライバーが、該第１あご及び該第２あごに対応する平行軸に平行に配置された長手軸周囲を回転可能な第２水平回転シャフトを含んでいる、請求項１９に記載の固定及び切断装置。
【請求項３０】  電気−機械式ドライバーと共に使用される組織の一部を切断し閉鎖するための固定及び切断装置であって：
第１あごと；
該第１あごに対応してこれに平行に且つ対面して設置された第２あごと；
該電気−機械式ドライバー装置に作動可能に連結され、該第１あごに接続された第１ドライバーであって、該第１ドライバーが第１水平回転シャフトを含んでいて、該第１水平回転シャフトは、少なくとも一つのねじ山付き回転シャフトを駆動し、かつ該第１及び第２あごに対応する平行軸垂直な軸に沿って該第１あごを直線状に移動させていて、さらに該第１水平回転シャフトは、該第１及び第２あごに対応する平行軸に平行に配置された長手軸周囲を回転可能であり、該第１水平回転シャフトが該あご同士を開くように第１方向に回転される場合、該第１あごを該第２あごから離し、該第１水平回転シャフトが該あご同士を閉じるように該第１方向と反対方向の第２方向に回転される場合には該第１あごを該第２あごに接近させるようにする第１ドライバーと；
を備えている固定及び切断装置。
【請求項３１】  該第１あごは、ねじ山付き回転シャフトを受け入れるための対応している少なくとも一つのねじ山付きの孔を具え、これによって該ねじ山付き回転シャフトが回転すると、該ねじ山付き回転シャフトの回転方向に応じて、該第１あごが、該ねじ山付き回転シャフトに沿って軸方向に移動して、該第２あごから離れたりこれに接近したりする、請求項３０に記載の固定及び切断装置。
【請求項３２】  切断手段及びステープル綴じ装置を駆動している第２水平回転シャフトであって、切断及びステープル綴じ装置が該第２水平回転シャフトを介して該電気−機械式ドライバー装置に作動可能に連結されている、第２水平回転シャフトをさらに具備している、請求項３１に記載の固定及び切断装置。
【請求項３３】  少なくとも一つの該ねじ山付き回転シャフトが、一対のねじ山付き回転シャフトと、該一対のねじ山付き回転シャフトに歯車を介して連携して回転するように設置された第１水平回転シャフトとを具え、該第１水平回転シャフトが回転すると該第１あごが移動するように構成されている、請求項３０に記載の固定及び切断装置。
【請求項３４】  更に、該第１あごと該第２あごとの一方に設けられた切断及びステープル綴じ装置を具え、該切断及びステープル綴じ装置は該電気−機械式ドライバー装置に作動可能に連結されている請求項３０に記載の固定及び切断装置。
【請求項３５】  該第１ドライバーが、該電気−機械式ドライバー装置の回転ドライバーシャフトと連結するようになっている、請求項３０に記載の固定及び切断装置。
【請求項３６】  組織の一部を切断し閉鎖するための固定及び切断装置であって：
第１あごと；
該第１あごに対してこれに平行に且つ対面して設置された第２あごと；
該第１あごの長手軸に平行に配置された長手軸周囲で回転可能な第１回転シャフトであって、該第１回転シャフトが、該第１あごと連結されていて、該第１回転シャフトが、該第１あごと該第２あごとの間で平行を維持している場合、該第１あごを該長手軸に垂直な方向に直線状に移動させるようになっている第１回転シャフトと；
該第２あご内に設置され、該第１あごと該第２あごとが閉じた場合には、該第１あごと該第２あごとの間に挟さまれた組織の一部を切断しステープルによって綴じるようになっている切断及びステープル綴じ装置と；
該第１あごの長手軸と、該第１回転ドライバーシャフトの長手軸とに平行に配置された長手軸周囲で回転可能な第２回転シャフトであって、該第２回転シャフトが、該切断及びステープル閉じ装置を該長手軸に平行な方向に直線的に移動するようになっている、第２回転シャフトと；
を具備する固定及び切断装置。
【請求項３７】  電気−機械式ドライバーと共に使用される組織の一部を切断し閉鎖するための固定及び切断装置であって：
第１あごと；
該第１あごに対してこれに平行に且つ対面して設置された第２あごと；
該第１あごの長手軸に平行に配置された長手軸周囲で回転可能な第１回転シャフトであって、該第１回転シャフトが、一対のねじ山付き回転シャフトを介して該第１あごと連結され、かつ該第１あごと該第２あごとの間で平行を維持している場合、該第１あごは該長手軸に垂直な方向に直線状に移動させるようになっている第１回転シャフトと；
を具備する固定及び切断装置。
【請求項３８】  組織の一部を切断し閉鎖するための固定及び切断装置であって：
第１あごと；
該第１あごに対応してこれに平行に且つ対面して設置された第２あごと；
該第１あごに接続された第１ドライバーであって、該第１ドライバーが第１水平回転シャフトを含んでいて、該第１水平回転シャフトは、該第１及び第２あごに対応する平行軸垂直な軸に沿って該第１あごを直線状に移動させていて、さらに該第１水平回転シャフトは、該第１及び第２あごに対応する平行軸に平行に配置された長手軸周囲を回転可能であり、該第１水平回転シャフトが該あご同士を開くように第１方向に回転される場合、該第１あごを該第２あごから離し、該第１水平回転シャフトが該あご同士を閉じるように該第１方向と反対方向の第２方向に回転される場合には該第１あごを該第２あごに接近させるようにする第１ドライバーと；
該第１あごと該第２あごとの一方に設置され、かつ第２ドライバーに連結された切断及び直線ステープル綴じ装置であって、該切断及び直線ステープル綴じ装置は、該第１あごが該第２あごの上に閉じた場合に、該第１あごと該第２あごとの間に挟まれた組織の一部を切断しステープルによって綴じるようになっている切断及び直線ステープル綴じ装置と；
を具備する固定及び切断装置。
【請求項３９】  該第１ドライバーが少なくとも一つの垂直シャフトを含んでいて、該少なくとも一つの該垂直シャフトが回転すると、該垂直シャフトの回転方向に応じて、該第１あごが、該ねじ山付き回転シャフトに沿って軸方向に移動して、該第２あごから離れたりこれに接近したりする、請求項３８に記載の固定及び切断装置。
【請求項４０】  該少なくとも一つの垂直シャフトがねじ山付き垂直シャフトであって、該第１あごが、該少なくとも一つのねじ山付き回転シャフトを受け入れるようになっている対応する少なくとも一つのねじ山付き孔を含んでいる、請求項３９に記載の固定及び切断装置。
【請求項４１】  該第１ドライバーが、一対のねじ山付き垂直シャフトと、該一対のねじ山付き回転シャフトに歯車を介して連携して回転するように設置された第１水平回転シャフトとを具え、該第１水平回転シャフトが回転すると該第１あごが移動するように構成されている、請求項３８に記載の固定及び切断装置。
【請求項４２】  該切断及び直線ステープル綴じ装置が、刃と、該第２あごに形成されたくさびガイド用チャンネルに嵌まったくさびを具えている、請求項３８に記載の固定及び切断装置。
【請求項４３】  該第１ドライバーと、該第２ドライバーとの各々を駆動するようになっている電気−機械式ドライバーをさらに具備している、請求項３８に記載の固定及び切断装置。
【請求項４４】  該電気−機械式ドライバーが、該第１ドライバーと、該第２ドライバーとの各々を独立的に駆動するようになっている、請求項４３に記載の固定及び切断装置。
【請求項４５】  電気−機械式ドライバーが、該第１ドライバーを駆動するようになっている第１回転ドライブシャフトと、該第２ドライバーを駆動するようになっている第２回転ドライブシャフトを含んでいる、請求項４３に記載の固定及び切断装置。
【請求項４６】  該電気−機械式ドライバーが、該第一及び第二回転ドライブシャフト各々を駆動するようになっている少なくとも一つのモータ装置を含んでいる、請求項４５に記載の固定及び切断装置。
【請求項４７】  該電気−機械式ドライバーが、該第１回転ドライブシャフトを回転するようになっている第１モータ装置と、該第２回転ドライブシャフトを回転するようになっている第２モータ装置とを含んでいる、請求項４５に記載の固定及び切断装置。
【請求項４８】  該第２ドライバーが、該第１あご及び該第２あごに対応する平行軸に平行に配置された長手軸周囲を回転可能な第２水平回転シャフトを含んでいる、請求項３８に記載の固定及び切断装置。
【請求項４９】  電気−機械式ドライバーと共に使用される組織の一部を切断し閉鎖するための固定及び切断装置であって：
第１あごと；
該第１あごに対応してこれに平行に且つ対面して設置された第２あごと；
該電気−機械式ドライバー装置に作動可能に連結され、該第１あごに接続された第１ドライバーであって、該第１ドライバーが第１水平回転シャフトを含んでいて、該第１水平回転シャフトは、該第１及び第２あごに対応する平行軸垂直な軸に沿って該第１あごを直線状に移動させていて、さらに該第１水平回転シャフトは、該第１及び第２あごに対応する平行軸に平行に配置された長手軸周囲を回転可能であり、該第１水平回転シャフトが該あご同士を開くように第１方向に回転される場合、該第１あごを該第２あごから離し、該第１水平回転シャフトが該あご同士を閉じるように該第１方向と反対方向の第２方向に回転される場合には該第１あごを該第２あごに接近させるようにする第１ドライバーと；
を備えている固定及び切断装置。
【請求項５０】  該第１ドライバーが少なくとも一つのねじ山付きの回転シャフトを具え、該第１あごは、該ねじ山付き回転シャフトを受け入れるための対応する少なくとも一つのねじ山付きの孔を具え、これによって該ねじ山付き回転シャフトが回転すると、少なくとも一つの該ねじ山付き回転シャフトの回転方向に応じて、第１あごが、該ねじ山付き回転シャフトに沿って軸方向に移動して、第２あごから離れたりこれに接近したりする、請求項４９に記載の固定及び切断装置。
【請求項５１】  該第１ドライバーが、一対のねじ山付き回転シャフトと、該一対のねじ山付き回転シャフトに歯車を介して連携して回転するように設置された第１水平回転シャフトとを具え、該第１水平回転シャフトが回転すると該第１あごが移動するように構成されている、請求項４９に記載の固定及び切断装置。
【請求項５２】  更に、第１あごと第２あごとの一方に設けられた切断及びステープル綴じ装置を具え、該切断及びステープル綴じ装置は前記電気−機械式ドライバー装置に作動可能に連結されている請求項４９に記載の固定及び切断装置。
【請求項５３】  該切断及び該ステープル綴じ装置が直線ステープル綴じ装置を含んでいる、請求項５２に記載の固定及び切断装置。
【請求項５４】  該第１ドライバーが、該電気−機械式ドライバーの回転ドライブシャフトと連結するようになっている、請求項４９に記載の固定及び切断装置。
【請求項５５】  該切断及びステープル綴じ装置を駆動する第２水平回転シャフトをさらに含んでいて；該切断装置及び該ステープル綴じ用装置が、第２水平回転シャフトを介して該電気−機械式ドライバー装置と作動可能に連結されている；請求項５０に記載の固定及び切断装置。
【請求項５６】  組織の一部を切断し閉鎖するための固定及び切断方法が：
第１あごと第２あごとの間に組織の一部を挟さむために、第１あごの長手軸に平行に配置された長手軸周囲で回転シャフトを回転することにより、開位置から閉位置へと第１あご及び第２あごを移動する段階と；
該開位置と該閉位置との間において、該第１あごと該第２あごとの間を平行関係に保つ段階と；
該組織を切断するために刃を駆動し、かつ該組織の一部を貫通して固定具の直線配列部分を駆動するために、該刃及び該固定具が独立的に駆動される作動段階と；
を含んでいる固定及び切断方法。
【請求項５７】  電気−機械式ドライバーと共に使用される組織の一部を切断し閉鎖するための固定及び切断装置であって：
第１あごと；
該第１あごに対してこれに平行に且つ対面して設置された第２あごと；
該第１あごの長手軸に平行に配置された長手軸周囲で回転可能な第１回転シャフトであって、該第１回転シャフトは該第１あごと連結されていて、該第１回転シャフトが、該第１あごと該第２あごとの間で平行を維持している場合、該第１あごを該長手軸に垂直な方向に直線状に移動させるようになっている第１回転シャフトと；
を具備する固定及び切断装置。